(57)【要約】  壁に取り付けることのできる剃刀ホルダーが提供されている。剃刀ホルダーは、背板（１２）から伸張している２対の湾曲しているアーム（１６、１７、４０、４２）と、吸着カップ（１４）の様な壁取り付け構造を有している。剃刀ホルダーは、少なくとも２つの代替位置の内の１つの位置で、安全剃刀（５０）を保持する。頭部を下にする位置は、剃刀（５０）からの適切な排水を保証し、剃刀（５０）の浸食性無駄毛剃り支援体部材（７２）が、不必要な水との接触のために柔らかくなることの無いようにする。頭部を上にする位置は、ユーザーが馴染み易い。【選択図】図２
2009500146.tif 000002
【特許請求の範囲】
【請求項１】
壁に取り付けることのできる剃刀ホルダーにおいて、前記剃刀ホルダーは、
高さを画定し、壁取り付け構造を有している背板と、
水平方向に間隔を空けて配置されている第１対のアームであって、前記第１対のアームは、前記背板から前方に伸張しており、その自由端は、互いに向き合っており、その自由端の間に第１幅を画定し、各アームは、前記アームから内向きに伸張するリップを有しており、前記リップは内側縁部を有している、第１対のアームと、
水平方向に間隔を空けて配置されている第２対のアームであって、前記第２対のアームは、前記背板から前方に伸張しており、その自由端は、前記背板の前方に向けられており、その自由端の間に空間を、そしてその自由端の間に第２幅を画定しており、前記第２対のアームは、前記背板上に、前記第１対のアームより高く配置されている、第２対のアームと、を備えている剃刀ホルダー。
【請求項２】
前記第１幅は、前記第２幅より広い、請求項１に記載の剃刀ホルダー。
【請求項３】
前記第１対のアームは湾曲している、請求項２に記載の剃刀ホルダー。
【請求項４】
前記第２対のアームは湾曲している、請求項３に記載の剃刀ホルダー。
【請求項５】
前記剃刀ホルダーは、安全剃刀を取り外し可能に保持し、前記剃刀は、
第１端部、中間区画、及び第２端部を有し、前記第１端部に支持表面を有している、ハンドルと、
前記ハンドルの前記第１端部に取り外し可能に連結されている剃刀カートリッジと、を備えており、
前記剃刀は、前記剃刀ホルダー内に、前記ハンドルの第１端部を前記第２端部より低い位置にして、取り外し可能に保持されており、
前記第１対のアームは、前記ハンドルの前記第１端部を部分的に取り囲み、前記支持表面は、前記リップに当接しており、
前記第２対のアームは、前記ハンドルの前記中間区画を部分的に取り囲んでいる、請求項４に記載の剃刀ホルダー。
【請求項６】
前記剃刀ホルダー内に保持されている前記剃刀の質量の中心の位置は、前記ハンドルの前記中間区画を、概ね前記第２対のアームの間の空間に向けて押し付けるモーメントを生じさせる、請求項５に記載の剃刀ホルダー。
【請求項７】
前記剃刀は、更に、前記ハンドルの前記第１端部に取り外し可能に連結されている無駄毛剃り支援体を備えている、請求項６に記載の剃刀ホルダー。
【請求項８】
前記無駄毛剃り支援体は、側面と上面を有しており、前記剃刀は、前記剃刀ホルダー内に、前記上面を前記第１対のアームより低い位置にして、取り外し可能に保持されている、請求項７に記載の剃刀ホルダー。
【請求項９】
前記無駄毛剃り支援体の前記側面は、前記リップの前記内側縁部から間隔を空けて配置されている、請求項８に記載の剃刀ホルダー。
【請求項１０】
前記剃刀ホルダーは、成形された熱可塑性プラスチックである、請求項９に記載の剃刀ホルダー。
【請求項１１】
前記壁取り付け構造は、少なくとも１つの吸着カップを備えている、請求項１０に記載の剃刀ホルダー。
【請求項１２】
前記壁取り付け構造は、少なくとも１つのねじ込みファスナーを備えている、請求項１０に記載の剃刀ホルダー。
【請求項１３】
前記壁取り付け構造は、両面接着テープを備えている、請求項１０に記載の剃刀ホルダー。
【請求項１４】
前記剃刀ホルダーは、安全剃刀を、少なくとも２つの位置の内の１つで取り外し可能に保持するようになっており、
前記剃刀は、第１端部、中間区画、及び第２端部を有し、更に前記第１端部に支持表面を有しているハンドルと、前記ハンドルの前記第１端部に取り外し可能に連結されている剃刀カートリッジと、を備えており、
第１位置では、前記剃刀は、前記剃刀ホルダー内に、前記ハンドルの第１端部を前記第２端部より低い位置にして、取り外し可能に保持され、前記第１対のアームは、前記ハンドルの前記第１端部を部分的に取り囲み、前記支持表面は、前記リップに当接しており、前記第２対のアームは、前記ハンドルの前記中間区画を部分的に取り囲んでおり、
第２位置では、前記剃刀は、前記剃刀ホルダー内に、前記ハンドルの第１端部を前記第２端部より高い位置にして、取り外し可能に保持され、前記第１対のアームは、前記ハンドルの前記第１端部を部分的に取り囲み、前記リップの前記内側縁部の少なくとも一部分は、前記ハンドルの前記第１端部に当接している、請求項４に記載の剃刀ホルダー。
【請求項１５】
前記剃刀ホルダーは、成形された熱可塑性プラスチックである、請求項１４に記載の剃刀ホルダー。
【請求項１６】
前記壁取り付け構造は、少なくとも１つの吸着カップを備えている、請求項１５に記載の剃刀ホルダー。
【請求項１７】
前記壁取り付け構造は、少なくとも１つのねじ込みファスナーを備えている、請求項１５に記載の剃刀ホルダー。
【請求項１８】
前記壁取り付け構造は、両面接着テープを備えている、請求項１５に記載の剃刀ホルダー。
【発明の詳細な説明】
【技術分野】
【０００１】
本発明は、概括的には安全剃刀に、より具体的には、安全剃刀用の壁に取り付けることのできるホルダーに関する。
【背景技術】
【０００２】
本出願は、２００５年７月１１日出願の米国仮特許出願第６０／６９８，５３７号の恩典を請求する。
【０００３】
最近の安全剃刀は、ハンドルに取り付けられる剃刀カートリッジを備えている。幾つかの最近の安全剃刀、特に市販されている女性用のものは、剃刀を、使用場所近く、例えばシャワー又は浴室の壁に都合よく保管できるように、壁に取り付けることのできるホルダー付きで販売されている。
【０００４】
多くの既存の壁に取り付けることのできるホルダーは、３つの大きなグループに分けられる。第１グループでは、二股構造のホルダーが、剃刀の形状の特徴を利用して剃刀を吊るしている。多くの剃刀は、略Ｔ字形であるか、或いは、最も一般的には剃刀カートリッジ自体か、又はハンドルの反対側の端部より幅広い、ハンドルの剃刀カートリッジ側の端部である一方の端部を少なくとも有している。この第１グループでは、一対の水平方向に間隔を空けて配置されているアームが、壁取り付け構造から伸張して、剃刀を、剃刀の幅広部分から、最も幅の広い端部、通常はカートリッジ端部を上にして、吊り下げているだけである。この第１グループの例には、Kertzmanへの米国特許第４，７７３，１５８号、Hurdへの米国意匠特許第Ｄ，３３３，５８３号、及びPokornyへの米国意匠特許第Ｄ，２９４，９０３号に開示されているホルダーが含まれる。第２グループでは、単純なカップが壁取り付け構造から伸張しており、剃刀は、カップの中に、通常は剃刀の剃刀カートリッジ端部を上にして、そして剃刀カートリッジの剃刀の刃がカップの内側部分に接触して剃刀の刃を損傷させ、その結果、剃り心地が悪くなるか又は刃が欠けてユーザーが切り傷を負うことのないようにカップの外に向けて、入れられるだけである。この第２グループの例には、Coffin他への米国意匠特許第Ｄ，４６４，２２２号及び第Ｄ，４２３，８４５号両方と、Murgidaへの米国意匠特許第Ｄ，３７０，３７５号が含まれる。第３グループでは、１つのプロングが壁取り付け構造から伸張しており、このプロングが、ハンドルの窪み又は穴と噛み合って、剃刀を吊るす。このグループでは、ハンドルの穴又は窪みを、剃刀カートリッジと反対側のハンドルの端部に配置し、その結果、剃刀が、ハンドルの剃刀カートリッジ側の端部を下にして吊り下げられるようになっているのが好都合である。この第３グループの例は、Itenへの米国意匠特許第Ｄ，２７７，４３４号と、Bunnell他への米国意匠特許第Ｄ，４９５，１７９号と第Ｄ，４９４，７９５号に開示されている。
【０００５】
新型の剃刀では、浸食性無駄毛剃り支援材料の比較的大きな本体が、ハンドルに取り付けられ、剃刀カートリッジを取り囲んでいる。無駄毛剃り支援体は、長期間水に曝されると軟化し、その摩耗率が、軟化していない無駄毛剃り支援体の摩耗率に比べると劇的に増大する。その結果、無駄毛剃り支援体の有効寿命が大幅に短くなり、消費者の不満に繋がる。また、軟化した無駄毛剃り支援体は、剃刀が偶然落下した場合に、損傷を受け易い。更に、この新型の剃刀には、通例、保護カバーが設けられている。保護カバーは、移動時に、剃刀カートリッジと無駄毛剃り支援体を保護するが、無駄毛剃り支援体の近傍に水分又は水蒸気を保持するよう作用するので、無駄毛剃り支援体を早く軟化させ、結果的に、摩耗率を大きくする。
【０００６】
この新型の剃刀と組み合わせて使用する場合の、第１及び第２グループのホルダーの欠点は、剃刀が剃刀カートリッジを上にして保管され、使用後に水が剃刀から適切に排出されないことである。これは、無駄毛剃り支援体が、使用と使用の間に適切に乾燥するのを妨げる。この新型の剃刀と組み合わせて使用する場合の、第３グループのホルダーの欠点は、ホルダーと剃刀の連結が、剃刀カートリッジと無駄毛剃り支援体から離れているハンドルの領域内で起きることである。従って、この型式のホルダーのユーザーは、妨げる干渉構造が何も隣接していないので、自分の剃刀を保護カバーで覆って適所に保管することができる。これは、剃刀ホルダーが、破断線で示されている剃刀の剃刀カートリッジ部分から距離を開けて配置されていることが明確に示されているItenの４３４号特許の図６で分かる。保護カバーは、無駄毛剃り支援体の近傍に水分又は水蒸気を保持し、無駄毛剃り支援体を過早軟化させる。この第３グループのホルダーの別の欠点は、ホルダーの機能的特徴がプロングであることである。これは、最初の２つのグループのホルダーほど剃刀を積極的に保持しない。偶然剃刀に当たれば、ホルダーから落ちる傾向がある。
【０００７】
従って、剃刀の排水を改良し、保護カバー無しに剃刀を保持することができ、剃刀に何かが偶然当たったときの剃刀の保持性を改良した、安全剃刀用の、壁に取り付けることのできるホルダーを提供することが、当該技術では必要とされている。
【０００８】
【特許文献１】米国仮特許出願第６０／６９８，５３７号
【特許文献２】米国特許第４，７７３，１５８号
【特許文献３】米国意匠特許第Ｄ，３３３，５８３号
【特許文献４】米国意匠特許第Ｄ，２９４，９０３号
【特許文献５】米国意匠特許第Ｄ，４６４，２２２号
【特許文献６】米国意匠特許第Ｄ，４２３，８４５号
【特許文献７】米国意匠特許第Ｄ，３７０，３７５号
【特許文献８】米国意匠特許Ｄ，２７７，４３４号
【特許文献９】米国意匠特許第Ｄ，４９５，１７９号
【特許文献１０】米国意匠特許第Ｄ，４９４，７９５号
【発明の開示】
【課題を解決するための手段】
【０００９】
本発明の壁に取り付けることのできる剃刀ホルダーは、背板を備えている。背板は、高さを画定し、壁取り付け構造を有している。好適に湾曲し、水平方向に間隔を空けて配置されている第１対のアームは、背板から前方に伸張しており、その自由端は、互いに向き合っている。この第１対のアームは、その自由端の間に第１幅を画定している。各アームは、アームから内向きに伸張しているリップを有しており、リップは、内側縁部を有している。好適に湾曲し、水平方向に間隔を空けて配置されている第２対のアームは、背板から前方に伸張しており、その自由端は、背板の前方に向けられている。この第２対のアームは、その自由端の間に第２幅を画定している。第２対のアームは、背板上に、第１対のアームより高く配置されている。第１幅は、第２幅より大きいのが望ましい。
【００１０】
本発明の別の態様では、壁に取り付けることのできるホルダーは、安全剃刀を取り外し可能に保持する。剃刀は、第１端部、中間区画、及び第２端部を有するハンドルと、ハンドルの第１端部に取り外し可能に連結されている剃刀カートリッジと、を備えている。剃刀は、更に、ハンドルの第１端部に取り外し可能に連結されている、浸食性の無駄毛剃り支援体を備えている。ハンドルは、第１端部に支持可能表面を有している。剃刀は、剃刀ホルダー内に、剃刀の第１端部を第２端部より低い位置にして、取り外し可能に保持される。第１対のアームは、剃刀の第１端部を部分的に取り囲み、支持可能表面は、剃刀ホルダーのリップに当接する。第２対のアームは、剃刀の中間区画を部分的に取り囲む。剃刀の質量の中心の位置は、ハンドルの中間区画を、概ね第２対のアームに向けて押し付けるモーメントが生じるようになっている。
【００１１】
本発明の別の態様では、壁に取り付けることのできるホルダーは、安全剃刀を、第２位置に、取り外し可能に保持する。この第２位置では、剃刀の第１端部は、第２端部より高い位置にある。この第２位置では、第１対のアームは、ハンドルの第１端部を部分的に取り囲み、リップの内側縁部は、ハンドルの第１端部に当接して剃刀を吊り下げる。
本発明の更に別の態様では、壁に取り付けることのできるホルダーの壁取り付け構造は、１つ又は複数の吸着カップか、或いは、１つ又は複数のねじ込みファスナー又は両面接着テープを備えているのが望ましい。
【００１２】
本発明の上記特徴と利点は、以下の詳細な説明を、添付図面と関連付けて参照すると、良く理解できるであろう。
【発明を実施するための最良の形態】
【００１３】
図面、特に図１−３に示すように、壁に取り付けることのできる剃刀ホルダー１０は、背板１２を備えている。背板は、高さを画定し、壁取り付け構造を有している。図示の実施形態では、壁取り付け構造は、少なくとも１つの吸着カップ１４である。水平方向に間隔を空けて配置されている第１対の好適に湾曲しているアーム１６、１７は、背板から前方に伸張し、その自由端２０、２２は、互いに向き合っている。この第１対のアームは、その自由端の間に第１幅を画定している。各アームは、アームから内向きに伸張するリップ２４を有している。リップは、内側縁部２６を有している。水平方向に間隔を空けて配置されている第２対の好適に湾曲しているアーム４０、４２は、背板から前方に伸張し、その自由端４４、４６は、背板の前方に向けられている。この第２対のアームは、その間に空間を、そしてその自由端の間に第２幅を画定している。第２対のアームは、背板上に、第１対のアームより高く配置されている。好適な実施形態では、第１幅は、第２幅より広い。剃刀ホルダーは、成形された熱可塑性プラスチックであるのが望ましく、ポリプロピレンの様な商品化されている熱可塑性プラスチックであれば更に望ましく、ＴＰＣが販売しているCosmoplene AY564であるのが最も望ましい。当業者には理解頂けるように、代わりの材料又は製造方法を使用してもよい。剃刀ホルダーは、１部品の成形品として示されているが、当業者には理解頂けるように、２部品以上の成形品を永久的に接合しても等しく作ることができる。
【００１４】
次に図４−６は、安全剃刀５０が、剃刀ホルダー内に、取り外し可能に第１位置で保持されている状態を示している。剃刀は、第１端部５４、中間区画５６、及び第２端部５４を有するハンドル５２を備えている。剃刀は、更に、ハンドルの第１端部に共に取り外し可能に連結されている剃刀カートリッジ６０と浸食性無駄毛剃り支援体７０とを備えている。浸食性無駄毛剃り支援体は、側面７２と上面７４を有している。ハンドルは、第１端部に支持表面８０を有している。剃刀は、剃刀ホルダー内に取り外し可能に、剃刀の第１端部を第２端部より低くして保持されている。更に、浸食性無駄毛剃り支援体の上面は、第１対のアームより低い位置にあり、浸食性無駄毛剃り支援体７２の側面は、リップ２６の内側縁部から間隔を空けて配置されている。第１対のアームは、剃刀の第１端部を部分的に取り囲んでおり、支持表面は、リップに当接している。第２対のアームは、剃刀の中間区画を部分的に取り囲んでいる。剃刀９０の質量の中心は、モーメントが、矢印Ａで図示する様に、ハンドルの中間区画を概ね第２対のアームの間の空間に向けて押し付けるように生じるような位置にある。更に、このモーメントは、ハンドルの第２端部の、矢印Ｂの方向への僅かな回転変位、例えば４５°の回転に打ち勝って、剃刀をその保持位置へ戻す。
【００１５】
次に図７は、代わりの壁取り付け構造を、代替案として、分解して示している。代わりの壁取り付け構造は、少なくとも１つのねじ込みファスナー１００である。別の代わりの壁取り付け構造は、少なくとも１部品の両面又は二面接着テープ１１０である。
次に図８は、安全剃刀５０が、剃刀ホルダー１０に第２位置で取り外し可能に保持されている状態を示している。この第２位置では、ハンドルの第１端部は、第２端部より高い位置にある。第１対のアームは、ハンドルの第１端部を部分的に取り囲み、第１対のアームのリップの内側縁部は、ハンドルの第１端部に当接して剃刀を吊り下げている。
【００１６】
本発明は、ここに開示し、及び／又は図面に示している特定の構造に限定されるのではなく、本発明の範囲内の修正又は等価物も含んでいるものと理解されたい。
【図面の簡単な説明】
【００１７】
【図１】本発明の剃刀ホルダーの或る実施形態の上面図である。
【図２】本発明の剃刀ホルダーの或る実施形態の上から見た等角図である。
【図３】本発明の剃刀ホルダーの或る実施形態の正面図である。
【図４】部分的に破断されている本発明の剃刀ホルダーの或る実施形態の側面図であり、剃刀が中に保持されている状態を示している。
【図５】本発明の剃刀ホルダーの或る実施形態の底面図であり、剃刀が中に保持されている状態を示している。
【図６】図４の６−６線に沿って切った、本発明の剃刀ホルダーの或る実施形態の部分正面図であり、剃刀が中に保持されている状態を示している。
【図７】本発明の剃刀ホルダーの或る実施形態の分解等角図であり、代わりの壁取り付け構造の実施形態を示している。
【図８】本発明の剃刀ホルダーの或る実施形態の等角図であり、剃刀が中に第２位置で保持されている状態を示している。
【図１】
2009500146.tif 000003
【図２】
2009500146.tif 000004
【図３】
2009500146.tif 000005
【図４】
2009500146.tif 000006
【図５】
2009500146.tif 000007
【図６】
2009500146.tif 000008
【図７】
2009500146.tif 000009
【図８】
2009500146.tif 000010
【国際調査報告】
2009500146.tif 000011
2009500146.tif 000012